(57)【要約】【課題】  照度におうじて最適な印刷結果を導く手段がなかったため、ユーザがＰＣなどで最適な印刷を導くため、実際ＰＣで見ている結果と同等の感覚を得られない。【解決手段】  プリンタがおかれている場所の照度を検知し、その場所の照度と選択されている用紙と装着されているインクとの照明の反射率を算出する。【選択図】  図１
2006159550.tif 000002
【特許請求の範囲】
【請求項１】
プリンタがおかれている場所の照度（一定の面積が一定の時間に受ける光の量：単位は、ルクス）を検知（取得）する検知（取得）手段とその場所の照度と選択されている用紙と装着されているインクとの照明の反射率を算出する算出手段により人間の目に最適な印刷結果を導くことを特徴とする印刷制御装置。
【請求項２】
前記記載の印刷制御装置において、装着されているインク種と設置されている用紙タイプに基づいて、プリンタがおかれている場所で照度を判断するのではなく、ユーザが使用しているＰＣの環境におうじて照度を取得する取得手段によりユーザが普段印刷物を目にする環境におうじて適切な印刷結果を導くことを特徴とする印刷制御装置。
【請求項３】
前記請求項２記載の印刷制御装置において、与えられた用紙種類やインク、照度により適切な印刷処理をおこなうのではなく、与えられた照度により、適切な用紙種類と適切なインクの種類をユーザに通知する通知手段を特徴とする請求項２記載の印刷制御装置。
【発明の詳細な説明】
【技術分野】
【０００１】
本発明は、プリンタが置かれている場所により、その場所の照度と選択されている用紙と装着されているインクとの照明の反射率を計算し、その場所で印刷物を見るのに最も適した結果を導くための印刷制御装置に関するものである。また、プリンタが置かれている場所により判断するのではなく、ユーザが使用するＰＣに付けられている照度を検知するセンサー（計測器）により印刷時にプリンタドライバがその照度と用紙種類をもとに一番適切な印刷結果を導く印刷制御装置に関するものである。また、本発明はＰＣで照度を算出することにより、プリンタにたいして、照度の算出処理をしない命令を行なうための印刷制御装置に関するものでもある。また、本発明は、ユーザが使用しているＰＣなどの照度環境に応じて、適切な用紙種類、インク種類を導き、ユーザに伝える伝達手段を備えた印刷制御装置に関する。
【背景技術】
【０００２】
従来の印刷制御装置においては、プリンタが置かれている場所やプリンタに照度を感知するセンサーをつけてその環境に応じて人間の目に最適な印刷をする方式はなく、実際ＰＣなどで作成したファイルや用紙、インクより結果が決まってしまう方式であった（例えば、特許文献１参照）。
【特許文献１】特開平０５−３１８７６７号公報
【発明の開示】
【発明が解決しようとする課題】
【０００３】
然しながら、上述の従来例では、照度におうじて最適な印刷結果を導く手段がなかったため、ユーザがＰＣなどで最適な印刷を導くため、実際ＰＣで見ている結果と同等の感覚を得られない課題があった。また、ユーザの目に優しい印刷結果を導くために手操作で設定する時間の無駄や実際に印刷してみなければわからないといったインクや用紙が無駄になるという課題がある。
【０００４】
本発明は、上述の点に着目して成されたもので、ユーザに処理の負担を軽減させることを目的とする。
【課題を解決するための手段】
【０００５】
本発明は、下記構成を備えることにより上記課題を解決できるものである。
【０００６】
(1)プリンタがおかれている場所の照度を検知する検知手段とその場所の照度と選択されている用紙と装着されているインクとの照明の反射率を算出する算出手段により人間の目に最適な印刷結果を導くことを特徴とする印刷制御装置。
【０００７】
(2)前記記載の印刷制御装置において、プリンタがおかれている場所で照度を判断するのではなく、ユーザが使用しているＰＣの環境におうじて照度を判断し、ユーザが普段印刷物を目にする環境におうじて適切な印刷結果を導くことを特徴とする印刷制御装置。
【０００８】
(3)前記請求項２記載の印刷制御装置において、与えられた用紙種類やインク、照度により適切な印刷処理をおこなうのではなく、与えられた照度により、適切な用紙種類やインクの種類をユーザに通知する通知手段を特徴とする請求項２記載の印刷制御装置。
【発明の効果】
【０００９】
以上説明したように本発明によれば、従来ユーザが手操作で行っていた細かい設定をせずにユーザがいるその環境に応じて、目に優しい印刷結果を自動的に得られる効果がある。また、ユーザがいる環境に最も適した用紙種やインク種を導くことでユーザの目に優しい印刷結果をもたらすことも可能になる効果がある。
【発明を実施するための最良の形態】
【００１０】
以下、図面を参照して本発明の実施の形態を説明する。
【００１１】
図１は、本発明の印刷制御装置の一実施形態を示すブロック図である。
【００１２】
図１における符号１は、装置全体の制御を行う制御部で、マイクロプロセッサなどの中央演算処理装置（以下、CPUという）や各種Ｉ/Ｏポートを備え、各部に制御信号やデータ信号などを出力したり、後述の各部からの制御信号やデータ信号を入力して制御を行っている。符号２は、図２に示す手順のプログラム、システムプログラムやマネージャプログラムおよびその他のアプリケーションプログラム等や文字フォント及び辞書などを記憶する読み出し専用メモリ（ＲＯＭ）である。符号３は、外部に増設された読み出し専用メモリ（外部ＲＯＭ）４からロードされたアプリケーションプログラムや文書情報などを記憶する読み書き可能なメモリ（ＲＡＭ）である。符号５は、文書情報や各種コマンドなどを入力するキーボード６を制御するキーボード制御装置（以下、ＫＢＣという）である。符号７は、例えば、液晶などを利用した平面または略平面の表示領域を有するフラットパネルなどの表示装置（表示手段；以下、ＣＲＴという）８を制御する表示制御装置（以下、ＣＲＴＣという）である。符号９は、外部記憶装置としてのフロッピー（登録商標）ディスク駆動装置（以下、ＦＤＤという）１０やハードディスク駆動装置（以下、ＨＤＤという）１１を制御する周辺装置制御装置（以下、ＰＫＣという）である。なお、上記ＦＤＤ１０または、ＨＤＤ１１に図２に示す手順のプログラムを記憶させてもよい。符号１２は、ヘッドを用いて画像形成を行うプリント装置（以下、ＰＲＴという）である。このＰＲＴ１２は、本発明の印刷制御装置の一部を構成する要素である。符号１３は、マウス等のポインティングデバイス（以下、ＰＤという）であり、上記ＣＲＴ８上の表示を選択的に指示するのに用いることができる。かかる特定手段と上述の表示手段とは、スピード印刷を選定する選定手段を構成する。符号１４は、その場所の明るさを検知する読み取りセンサーである。
【００１３】
図１に示した印刷制御装置においては、ＲＯＭ２、ＰＲＴ１２、ＨＤＤ１１あるいは、ＲＡＭ３上にプログラムが存在しており、制御部１がシステムバス１４を通じて逐次プログラムを読み出しながら目的の処理を行うように設定されている。
【００１４】
次に図２は、ネットワーク接続（プリントサーバ経由も含む）、ローカル接続されたプリンタがそれぞれ異なる照度環境に設置されているおり、照度におうじて適切な印刷結果を導くために必要な動作環境を示すブロック図である。
【００１５】
次に図３〜図６の処理工程を示すフローチャートを図7〜図９を用いて、目的の印刷処理手順、作用などを説明する。
【００１６】
まず、図３のステップ３１１において、図２のネットワーク接続（プリントサーバ経由も含む）、ローカル接続されたプリンタのうち選択されているプリンタの照度値の取得処理を行う。照度値の計測は、センサー（照度計測器）を使用する。次にステップ３１２で、印刷開始時に選択されている用紙種類の情報取得を行う。次にステップ３１３で、装着されているインクの種類の取得を行う。ここのインクで指しているインクとは、通常インクタンクY（イエロー）、M（マゼンタ）、C（シアン）、K（ブラック）の4種類以外に、蛍光色用のインクY、M、C、ブラックインク、通常インクより濃度が薄いY、M、C、ブラックインクタンクなど、濃淡インク、蛍光インク全て対象としている。次に図７で示すデータベース化されたテーブルから照度、用紙種類、インク種類に適合した画処理テーブルの抽出処理を行う。画処理テーブルが抽出されたら、ステップ３１５で印刷データのY、M、C、K（ブラック）のデータに抽出したテーブルとのマッチング処理を行い、データの展開処理を行って生成されたデータをプリンタに転送して印刷を可能にする。ここで図７を使用してデータを抽出すると記載したが、本件は、あくまでも一例をあげているだけであり、事前に照度と紙種の組み合わせで最適なインク種は何であるかデータベース化しておくことを意味している。
【００１７】
図４は、図３でプリンタから照度値を取得して印刷処理を行うのに対し、使用しているＰＣに計測器をつけ、ＰＣの近くでその印刷物を参照する場合に人間の目にとって最も最適な印刷結果を導く方式である。その他は、図３と同様の処理を行う。
【００１８】
次に図５は、ユーザがＰＣやプリンタの近くで印刷物を参照する場合に人間の目にとって最適なインクの種類を抽出する方法についてのフローである。ステップ５１１では、ＰＣ又は、プリンタの照度値の取得を行い、次にステップ５１２でプリンタに設定されている用紙の種類を取得する。次にステップ５１３で照度と用紙種類により最適なインクの抽出処理を行う。例えば、図７のようにテーブル化されたデータから用紙種類と照度値により、最適なインク種を抽出するのである。その結果を例えば、図９のようにユーザに伝達する。
【００１９】
図６は、インク種類と照度値により、どの用紙が人間の目にとって最適かを判断するテーブルである。例えば、図８のようにテーブル化されたデータからインク種と照度値により、最適な用紙種を抽出するのである。その結果をユーザに伝達する。ここで記載した図８は、あくまでも１例であり、事前に照度とインク種の組み合わせで最適な用紙種は何であるかデータベース化しておくことを意味している。
【図面の簡単な説明】
【００２０】
【図１】本発明の印刷制御装置の一実施形態を示すブロック図である。
【図２】ネットワーク接続（プリントサーバ経由も含む）、ローカル接続されたプリンタとその環境をとりまく照明の明るさを示すブロック図である。
【図３】プリンタに付けられた計測器により照度値を取得しユーザの目に優しい印刷を行うための一連の動作を示すフローチャートである。
【図４】ユーザが使用しているPCに付けられた計測器により照度値を取得しユーザの目に優しい印刷を行うための一連の動作を示すフローチャートである。
【図５】ユーザの目にとって優しい印刷結果を導くために最適なインク種類の抽出方法を示すフローチャート図である。
【図６】ユーザの目にとって優しい印刷結果を導くために最適な用紙種類の抽出方法を示すフローチャート図である。
【図７】用紙種類と照度値により、最適なインク種を抽出するためのテーブル図である。
【図８】インク種類と照度値により、最適な用紙種を抽出するためのテーブル図である。
【図９】最適な用紙種を抽出した結果をユーザに通知するための例図である。
【符号の説明】
【００２１】
１  制御部（ヘッド制御手段）
２  ROM
３  RAM
４  外部ROM
５  キーボード制御装置
６  キーボード（特定手段）
７  表示制御装置
８  表示装置（表示手段）
９  周辺装置制御装置
１０  フロッピー（登録商標）ディスク
１１  ハードディスク
１２  プリント装置
１３  ポインティングデバイス
１４  照度読み取り装置
【図１】
2006159550.tif 000003
【図２】
2006159550.tif 000004
【図３】
2006159550.tif 000005
【図４】
2006159550.tif 000006
【図５】
2006159550.tif 000007
【図６】
2006159550.tif 000008
【図７】
2006159550.tif 000009
【図８】
2006159550.tif 000010
【図９】
2006159550.tif 000011